(57)【要約】【課題】  拠点毎に設置された複数の画像出力装置の色管理を行うべく、前記拠点毎に配置され前記画像出力装置から出力された出力物の測定を行う複数の測色計の測定値と基準値とに基づいて導出した補正式により、各拠点に配置された測色計の測定値と基準値との差を補正した上で、前記出力物の測定値をその経時的な変化を示す情報として提供する。【解決手段】  情報生成部１ｄは、補正式導出部１ｆにより導出された補正式（測定器Ｓ１による測定値を基準となる測定器Ｓ０による測定値に近似させる補正式）によって補正した測定器Ｓ１による出力装置Ｃ１の出力物の測定値と、その測定値の測定日時とに基づいて、測定器Ｓ１による出力装置Ｃ１の出力物の測定値の経時的な変化を示すＷｅｂページを作成する。一方、端末装置２ａにおいては、ユーザが操作手段により所定の操作を行うことで、取得部２ａｃがＷｅｂブラウザにより当該Ｗｅｂページを取得し、表示部２ａｄがこれを表示する。【選択図】      図１
2005091327.tif 000002
【特許請求の範囲】
【請求項１】
拠点毎に設置された複数の画像出力装置の色管理を行うべく、前記拠点毎に配置され前記画像出力装置から出力される出力物の測定を行う複数の測色計の測定値とその基準値とに基づいて補正した前記出力物の測定値に関する情報を提供する色管理システムであって、
前記拠点毎に配置され、前記測色計により測定された色見本の測定値と、それ以降に測定された前記出力物の測定値及びその測定日を送信する測定値送信手段を有する複数の端末装置と、
前記複数の端末装置とネットワークを介して接続され、基準となる測色計により測定された前記色見本の測定値を予め前記基準値として格納する測定値格納手段と、前記測定値送信手段から送信された色見本の測定値と前記出力物の測定値及びその測定日を受信する測定値受信手段と、前記受信された色見本の測定値と前記格納された基準値とに基づいて、前記受信された色見本の測定値を前記格納された基準値に近似させる補正を行う補正式を導出する補正式導出手段と、前記受信された出力物の測定値を前記導出された補正式によって補正した出力物の測定値と当該補正した出力物の測定値の測定日とに基づいて、前記補正した出力物の測定値の経時的変化を示す情報を前記端末装置から閲覧可能に生成する情報生成手段と、を有する管理サーバーと、を備えたことを特徴とする色管理システム。
【請求項２】
前記端末装置は、前記情報生成手段により生成された前記補正した出力物の測定値の経時的変化を示す情報を取得する取得手段と、前記取得手段により取得された前記補正した出力物の測定値の経時的変化を示す情報を表示する表示手段と、をさらに備えたことを特徴とする請求項１記載の色管理システム。
【請求項３】
前記情報生成手段が生成する情報は、前記補正した出力物の測定値である濃度値又は色彩値の経時的変化を、これに対応して縦軸を濃度値とし横軸を測定日としたグラフ又は縦軸を色彩値とし横軸を測定日としたグラフであることを特徴とする請求項１又は請求項２に記載の色管理システム。
【請求項４】
前記端末装置は、前記補正した出力物の濃度値の許容幅又は色彩値の許容値を指定するための許容幅／許容値指定手段をさらに備え、
前記情報生成手段は、前記許容幅／許容値指定手段により指定された濃度値の許容幅又は色彩値の許容値を、これに対応して前記縦軸を濃度値とし横軸を測定日としたグラフ又は前記縦軸を色彩値とし横軸を測定日としたグラフに追加することを特徴とする請求項３記載の色管理システム。
【請求項５】
前記情報生成手段が生成する情報は、前記補正した出力物の測定値である濃度値又は色彩値の経時的変化を、これに対応して縦軸を濃度値とし横軸を測定日としたグラフ及び縦軸を色彩値とし横軸を測定日としたグラフであって、
前記端末装置は、前記補正した出力物の測定値の経時的変化として、前記縦軸を濃度値とし横軸を測定日としたグラフと前記縦軸を色彩値とし横軸を測定日としたグラフの何れか又は双方を指定するための表示指定手段をさらに備えたことを特徴とする請求項１又は請求項２に記載の色管理システム。
【請求項６】
前記端末装置は、前記補正した出力物の濃度値の許容幅及び色彩値の許容値を指定するための許容幅／許容値指定手段をさらに備え、
前記情報生成手段は、前記許容幅／許容値指定手段により指定された濃度値の許容幅及び色彩値の許容値を、これに対応して前記縦軸を濃度値とし横軸を測定日としたグラフ及び前記縦軸を色彩値とし横軸を測定日としたグラフに追加することを特徴とする請求項５記載の色管理システム。
【請求項７】
前記色彩値は、ＣＩＥ  Ｌ＊ａ＊ｂ＊表色系におけるＬ＊値、ａ＊値及びｂ＊値であって、前記補正した出力物の色彩値の経時的変化は、前記補正した出力物の色彩値の、基準となる値からの変動値であるΔＬ＊値、Δａ＊値及びΔｂ＊値、若しくはΔＥ＝{（ΔＬ＊）２＋（Δａ＊）２＋（Δｂ＊）２}１／２値として示されることを特徴とする請求項３乃至請求項６の何れか一項に記載の色管理システム。
【請求項８】
拠点毎に設置された複数の画像出力装置の色管理を行うべく、前記拠点毎に配置され前記画像出力装置から出力される出力物の測定を行う複数の測色計の測定値とその基準値とに基づいて補正した前記出力物の測定値に関する情報を提供する色管理方法であって、
前記拠点毎に配置された複数の端末装置において、
前記測色計により測定された色見本の測定値と、それ以降に測定された前記出力物の測定値及びその測定日を送信する測定値送信ステップと、
前記複数の端末装置とネットワークを介して接続された管理サーバーにおいて、
基準となる測色計により測定された前記色見本の測定値を予め前記基準値として格納する測定値格納ステップと、前記測定値送信ステップにおいて送信された色見本の測定値と前記出力物の測定値及びその測定日を受信する測定値受信ステップと、前記受信された色見本の測定値と前記格納された基準値とに基づいて、前記受信された色見本の測定値を前記格納された基準値に近似させる補正を行う補正式を導出する補正式導出ステップと、前記受信された出力物の測定値を前記導出された補正式によって補正した出力物の測定値と当該補正した出力物の測定値の測定日とに基づいて、前記補正した出力物の測定値の経時的変化を示す情報を前記端末装置から閲覧可能に生成する情報生成ステップと、を含むことを特徴とする色管理方法。
【請求項９】
前記端末装置において、
前記情報生成ステップにおいて生成された前記補正した出力物の測定値の経時的変化を示す情報を取得する取得ステップと、前記取得ステップにおいて取得された前記補正した出力物の測定値の経時的変化を示す情報を表示する表示ステップと、をさらに含むことを特徴とする請求項８記載の色管理方法。
【請求項１０】
前記情報生成ステップにおいて生成する情報は、前記補正した出力物の測定値である濃度値又は色彩値の経時的変化を、これに対応して縦軸を濃度値とし横軸を測定日としたグラフ又は縦軸を色彩値とし横軸を測定日としたグラフであることを特徴とする請求項８又は請求項９に記載の色管理方法。
【請求項１１】
前記端末装置において、
前記補正した出力物の濃度値の許容幅又は色彩値の許容値が指定される許容幅／許容値指定ステップをさらに含み、
前記情報生成ステップでは、前記許容幅／許容値指定ステップにおいて指定された濃度値の許容幅又は色彩値の許容値を、これに対応して前記縦軸を濃度値とし横軸を測定日としたグラフ又は前記縦軸を色彩値とし横軸を測定日としたグラフに追加することを特徴とする請求項１０記載の色管理方法。
【請求項１２】
前記算出ステップにおいて算出する差は、前記受信された色見本の測定値である濃度値と前記格納された基準となる濃度値との差及び前記受信された色見本の色彩値と前記格納された基準となる色彩値との差であり、
前記情報生成ステップにおいて生成する情報は、前記補正した出力物の濃度値又は色彩値の経時的変化を、これに対応して縦軸を濃度値とし横軸を測定日としたグラフ及び縦軸を色彩値とし横軸を測定日としたグラフであって、
前記端末装置において、
前記補正した出力物の測定値の経時的変化として、前記縦軸を濃度値とし横軸を測定日としたグラフと前記縦軸を色彩値とし横軸を測定日としたグラフの何れか又は双方が指定される表示指定ステップをさらに含むことを特徴とする請求項８又は請求項９に記載の色管理方法。
【請求項１３】
前記端末装置において、
前記補正した出力物の濃度値の許容幅及び色彩値の許容値が指定される許容幅／許容値指定ステップをさらに含み、
前記情報生成ステップでは、前記許容幅／許容値指定手段により指定された濃度値の許容幅及び色彩値の許容値を、これに対応して前記縦軸を濃度値とし横軸を測定日としたグラフ及び前記縦軸を色彩値とし横軸を測定日としたグラフに追加することを特徴とする請求項１２記載の色管理方法。
【請求項１４】
前記色彩値は、ＣＩＥ  Ｌ＊ａ＊ｂ＊表色系におけるＬ＊値、ａ＊値及びｂ＊値であって、前記補正した出力物の色彩値の経時的変化は、前記補正した出力物の色彩値の、基準となる値からの変動値であるΔＬ＊値、Δａ＊値及びΔｂ＊値、若しくはΔＥ＝{（ΔＬ＊）２＋（Δａ＊）２＋（Δｂ＊）２}１／２値として示されることを特徴とする請求項１０乃至請求項１３の何れか一項に記載の色管理方法。
【発明の詳細な説明】
【技術分野】
【０００１】
本発明は、拠点毎に設置された複数の画像出力装置の色管理を行うべく、前記拠点毎に配置され前記画像出力装置から出力された出力物の測定を行う複数の測色計の測定値とその基準値とに基づいて導出した補正式により、各拠点に配置された測色計の測定値の基準値との差を補正した上で、前記出力物の測定値に関する情報を提供する色管理システム及びその色管理方法に関するものである。
【背景技術】
【０００２】
例えば、印刷物の仕上がりを事前に確認するためにカラープルーフを出力するカラープルーフ作成装置等の出力装置においては、出力されるカラープルーフの色校正を行う目的で、遠隔地にある複数の拠点に設置された出力装置において同一の出力物を出力することが要求されることがある。
【０００３】
このような場合には、各拠点において出力装置から出力される出力物の色彩や濃度を一致させるべく、これら出力装置の色管理、具体的にはキャリブレーションを行う必要が生じる。
【０００４】
この際、各拠点においては、出力装置から出力される出力物の色彩や濃度（例えば、ＣＩＥ  Ｌ＊ａ＊ｂ＊表色系におけるＬ＊値、ａ＊値、ｂ＊値や、ＸＹＺ表色系におけるＸ、Ｙ、Ｚの三刺激値）を測色計（例えば、色差計）により測定して、その測定値の基準値との差に基づいて、出力物の色彩や濃度を基準値に近似させるように出力装置の出力色彩値や出力濃度値を調整する作業が行われる。
【０００５】
因みに、このように基準となる印刷物の色彩や濃度と各出力物の色彩や濃度の差を評価するための装置としては、例えば特開平１０−３１５４３６号公報に記載される印刷物品質管理装置等を挙げることができる（例えば、特許文献１参照）。当該印刷物品質管理装置においては、まず原稿台に基準印刷物を置き、各測定点における色を測色計で測定した後、被検査印刷物を原稿台に置き、基準印刷物の測定点に相当する位置の色を測色計で測定することで、両者の色の差をコンピュータで演算して、ＣＩＥ  Ｌ＊ａ＊ｂ＊表色系におけるＬ＊値、ａ＊値、ｂ＊値等で表し、予め設定されている合否判定の基準値に照らし合わせて自動的にその判別を行う構成となっている。従って、当該印刷物品質管理装置によれば、誰でも熟練を要せず容易に印刷物の品質を管理することができる。
【０００６】
【特許文献１】特開平１０−３１５４３６号公報（段落〔００１１〕‐〔００３９〕、第１図乃至第５図）
【発明の開示】
【発明が解決しようとする課題】
【０００７】
ところで、各拠点においては、通常、別個の測色計が使用されるために、例えば、それらの測色計を上述した印刷物品質管理装置に機種統一した場合であっても、個々の装置の個体差によって、各拠点の装置による測定値が必ずしも一致しないという問題が生じていた。
【０００８】
従って、このような状況の下、各拠点において、出力装置から出力される出力物の色彩や濃度を測色計により測定して、その測定値を基に出力装置の出力色彩値や出力濃度値の調整を行っても、拠点間における測定値の差が補正されていないために、各拠点に配置された出力装置のキャリブレーションを適正に行うことは困難であった。
【０００９】
また、出力装置から出力される出力物の色彩や濃度は、そのときの環境温度や環境湿度等によって少なからず変化が生じ、その経時的な変化を管理することは、当該測定値に基づいて行われる画像出力装置の出力色彩値や出力濃度値の調整を適正に行う上で非常に重要であるが、各拠点においてこれを実施するためには、各拠点において定期的に出力物の色彩や濃度の測定を行い、その都度、当該測定値と基準値との差を記録して、それらの管理を行う必要があり、大変な手間がかかることになった。
【００１０】
本発明は、上記事情に鑑みてなされたものであり、その目的とするところは、拠点毎に設置された複数の画像出力装置の色管理を行うべく、前記拠点毎に配置され前記画像出力装置から出力された出力物の測定を行う複数の測色計の測定値とその基準値とに基づいて導出した補正式により、各拠点に配置された測色計の測定値の基準値との差を補正した上で、前記出力物の測定値をその経時的な変化を示す情報として提供する色管理システム及びその色管理方法を提供することにある。
【課題を解決するための手段】
【００１１】
上記課題を解決するために、請求項１記載の発明は、拠点毎に設置された複数の画像出力装置の色管理を行うべく、前記拠点毎に配置され前記画像出力装置から出力される出力物の測定を行う複数の測色計の測定値とその基準値とに基づいて補正した前記出力物の測定値に関する情報を提供する色管理システムであって、前記拠点毎に配置され、前記測色計により測定された色見本の測定値と、それ以降に測定された前記出力物の測定値及びその測定日を送信する測定値送信手段を有する複数の端末装置と、前記複数の端末装置とネットワークを介して接続され、基準となる測色計により測定された前記色見本の測定値を予め前記基準値として格納する測定値格納手段と、前記測定値送信手段から送信された色見本の測定値と前記出力物の測定値及びその測定日を受信する測定値受信手段と、前記受信された色見本の測定値と前記格納された基準値とに基づいて、前記受信された色見本の測定値を前記格納された基準値に近似させる補正を行う補正式を導出する補正式導出手段と、前記受信された出力物の測定値を前記導出された補正式によって補正した出力物の測定値と当該補正した出力物の測定値の測定日とに基づいて、前記補正した出力物の測定値の経時的変化を示す情報を前記端末装置から閲覧可能に生成する情報生成手段と、を有する管理サーバーと、を備えたことを特徴とする。
【００１２】
上記課題を解決するために、請求項８記載の発明は、拠点毎に設置された複数の画像出力装置の色管理を行うべく、前記拠点毎に配置され前記画像出力装置から出力される出力物の測定を行う複数の測色計の測定値とその基準値とに基づいて補正した前記出力物の測定値に関する情報を提供する色管理方法であって、前記拠点毎に配置された複数の端末装置において、前記測色計により測定された色見本の測定値と、それ以降に測定された前記出力物の測定値及びその測定日を送信する測定値送信ステップと、前記複数の端末装置とネットワークを介して接続された管理サーバーにおいて、基準となる測色計により測定された前記色見本の測定値を予め前記基準値として格納する測定値格納ステップと、前記測定値送信ステップにおいて送信された色見本の測定値と前記出力物の測定値及びその測定日を受信する測定値受信ステップと、前記受信された色見本の測定値と前記格納された基準値とに基づいて、前記受信された色見本の測定値を前記格納された基準値に近似させる補正を行う補正式を導出する補正式導出ステップと、前記受信された出力物の測定値を前記導出された補正式によって補正した出力物の測定値と当該補正した出力物の測定値の測定日とに基づいて、前記補正した出力物の測定値の経時的変化を示す情報を前記端末装置から閲覧可能に生成する情報生成ステップと、を含むことを特徴とする。
【発明の効果】
【００１３】
本発明に係る色管理システム及びその色管理方法によれば、各拠点に配置された測色計の測定値とその基準値に基づいて導出された補正式により、各拠点に配置された測色計の測定値の基準値との差が補正された上で、出力物の測定値の経時的な変化が閲覧可能に表示されるので、ユーザは、各自、これを閲覧することで、自身の拠点に設置された画像出力装置の出力色彩値や出力濃度値の経時的な管理を効率良く行うことができる。さらに、その表示内容に従って自身の拠点に設置された画像出力装置の出力色彩値や出力濃度値の調整を行うことで、その色管理を適正に行うことができる。
【００１４】
また、本発明に係る色管理システム及びその色管理方法によれば、ユーザは、自身の拠点に設置された画像出力装置の出力色彩値や出力濃度値の経時的な変化を、同じく自身の拠点に配置された端末装置から閲覧することができるので、ユーザは、管理サーバーの設置場所に赴くことなく、その内容を確認することができる。従って、自身の拠点に設置された画像出力装置の出力色彩値や出力濃度値の経時的な管理を効率良く行うことができる。
【発明を実施するための最良の形態】
【００１５】
以下、本発明に係る色管理システム及びその色管理方法の好適な一実施形態について、図面を参照しながら具体的に説明する。
【００１６】
［色管理システムの構成］
まず、本実施形態における色管理システムの構成について、図面を参照しながら詳細に説明する。
【００１７】
（システムの概略構成）
図１に、当該色管理システムのシステム構成を示す。図１に示すように、当該色管理システムは、遠隔地にある複数の拠点毎に設置された出力装置Ｃ１〜Ｃ３から出力される出力物の色彩や濃度をそれぞれ測定する測色計Ｓ１〜Ｓ３の測定値と基準となる測色計Ｓ０の測定値（以下、基準値と称する）との差を算出すると共に、それらの測定値に基づいて測色計Ｓ１〜Ｓ３の測定値を基準値に近似する補正を行う補正式を導出して、その補正式によって補正した測色計Ｓ１〜Ｓ３による出力装置Ｃ１〜Ｃ３から出力された出力物の測定値の経時的な変化をＷｅｂページにて表示する管理サーバー１と、測色計Ｓ１〜Ｓ３のそれぞれに対応して配置され、測色計Ｓ１〜Ｓ３の測定値を管理サーバー１に送信すると共に、上述したＷｅｂページを閲覧するための複数の端末装置２ａ〜２ｃと、を含み構成される。
【００１８】
尚、端末装置２ａ〜２ｃは、測色計Ｓ１〜Ｓ３の個数に応じて任意の個数が配置されて良い。また、出力装置Ｃ１〜Ｃ３や測色計Ｓ１〜Ｓ３は、互いに異なる製品や機種であっても良い。また、出力装置Ｃ１〜Ｃ３は、カラープルーフ作成装置の他にも、プリンタ、複写機等の色彩や濃度の調整が可能な出力装置であって、特に、その出力物の色彩や濃度に経時的な変化を生じるものであれば良い。
【００１９】
（管理サーバーの詳細構成）
ここで、管理サーバー１の詳細構成について説明する。管理サーバー１は、所謂、コンピュータ端末であって、モニタ等の表示手段と、キーボードやマウス等の入力手段と、サーバーを含む装置本体と、を備えている。さらに、この装置本体は、基準となる測色計Ｓ０により測定された測色計補正用カラーチャートＰの色彩や濃度に関する測定値を予め基準値として格納する格納部１ａと、端末装置２ａ〜２ｃから送信された測色計Ｓ１〜Ｓ３による測色計補正用カラーチャートＰの色彩や濃度に関する測定値と、同じく、端末装置２ａ〜２ｃから送信された測色計Ｓ１〜Ｓ３による出力装置Ｃ１〜Ｃ３から出力された出力物の色彩や濃度に関する測定値及びその測定日時を受信する受信部１ｂと、この受信部１ｂによって受信された測色計Ｓ１〜Ｓ３による測色計補正用カラーチャートＰの色彩や濃度に関する測定値と格納部１ａに格納された測色計補正用カラーチャートＰの色彩や濃度に関する基準値との差を算出する算出部１ｃと、受信部１ｂによって受信された測色計Ｓ１〜Ｓ３による測色計補正用カラーチャートＰの色彩や濃度に関する測定値と格納部１ａに格納された測色計補正用カラーチャートＰの色彩や濃度に関する基準値とに基づいて、受信部１ｂによって受信された測色計Ｓ１〜Ｓ３による測色計補正用カラーチャートＰの色彩や濃度に関する測定値を格納部１ａに格納された測色計補正用カラーチャートＰの色彩や濃度に関する基準値に近似させる補正を行う補正式を導出する補正式導出部１ｆと、受信部１ｂによって受信された測色計Ｓ１〜Ｓ３による出力装置Ｃ１〜Ｃ３から出力された出力物の色彩や濃度に関する測定値をこの補正式導出部１ｆによって導出された補正式により補正した出力物の色彩や濃度に関する測定値とこの補正した出力物の色彩や濃度に関する測定値の測定日とに基づいて、この補正した出力物の色彩や濃度に関する測定値の経時的変化を示す情報として、Ｗｅｂページである後述する評価レポート画面３０Ａ、３０Ｂを作成する情報生成部１ｄと、例えば、後述する端末装置２ａの取得部２ａｃが、このＷｅｂページである評価レポート画面３０Ａ、３０Ｂを取得するべく、Ｗｅｂブラウザにより当該管理サーバー１にアクセスした場合に、その端末装置２ａのユーザに関するデータベース認証を行う登録部１ｅと、を含み構成されている。
【００２０】
尚、格納部１ａは、本発明の「測定値格納手段」に対応するものであって、ＣＰＵ等の演算手段とメモリ等の記憶手段により構成され、ＣＰＵ等の演算手段がメモリ等の記憶手段に格納された所定の演算プログラムを実行することで、後述する補正処理を行う。また、受信部１ｂは、本発明の「測定値受信手段」に対応するものであって、ネットワークＩ／Ｆにより構成される。また、算出部１ｃは、ＣＰＵ等の演算手段とメモリ等の記憶手段により構成され、ＣＰＵ等の演算手段がメモリ等の記憶手段に格納された所定の演算プログラムを実行することで、後述する算出処理を行う。また、補正式導出部１ｆは、本発明の「補正式導出手段」に対応するものであって、ＣＰＵ等の演算手段とメモリ等の記憶手段により構成され、ＣＰＵ等の演算手段がメモリ等の記憶手段に格納された所定の演算プログラムを実行することで、後述する補正式導出処理を行う。また、情報生成部１ｄは、本発明の「情報生成手段」に対応するものであって、ＣＰＵ等の演算手段とメモリ等の記憶手段により構成され、ＣＰＵ等の演算手段がメモリ等の記憶手段に格納された所定の演算プログラムを実行することで、後述する情報生成処理を行う。また、登録部１ｅは、ＣＰＵ等の演算手段とメモリ等の記憶手段により構成され、ＣＰＵ等の演算手段がメモリ等の記憶手段に格納された所定の演算プログラムを実行することで、後述するユーザの認証処理を行う。
【００２１】
（測色計補正用カラーチャートの構成）
ここで、上述した測色計補正用カラーチャートＰの構成について説明する。測色計補正用カラーチャートＰは、本発明の「色見本」に対応するものであって、具体的には、図２に示すように、例えばＣ１００％、Ｍ１００％、Ｙ１００％、Ｋ１００％、ＣＭＹ１００％、ＭＹ１００％等の各色が横一列に配置され、それらの各々が測定点を構成する（因みに、図においては１７の測定点を構成する）ものである。即ち、基準となる測色計Ｓ０や測色計Ｓ１〜Ｓ３においては、これらの測定点を同様の測定順にて（例えば、図に示す矢印方向に沿って）測定することになる。
【００２２】
尚、測色計補正用カラーチャートＰは、経時的な色変動の少ない熱溶融型のハイエンドＤＤＣＰ（Ｄｉｒｅｃｔ  Ｄｉｇｉｔａｌ  Ｃｏｌｏｒ  Ｐｒｏｏｆの略で、デジタルデータを高精度のプリンタに直接出力するシステム）により作成されることが好ましい。
【００２３】
（端末装置の詳細構成）
ここで、端末装置２ａ〜２ｃの詳細構成について説明する。但し、当該端末装置２ａ〜２ｃは、何れも同様の構成となっているため、以下においては、端末装置２ａを例に採り説明を行う。
【００２４】
端末装置２ａは、所謂、コンピュータ端末であって、キーボードやマウス等の入力手段と、コンピュータを含む装置本体と、を備えている。さらに、測色計Ｓ１による測色計補正用カラーチャートＰの色彩や濃度に関する測定値や、それ以降において測定された測色計Ｓ１による出力装置Ｃ１から出力された出力物の色彩や濃度に関する測定値を入力するためのインターフェースである入力部２ａａと、この入力部２ａａを介して入力された測色計Ｓ１の測定値を、ネットワークＮを介して管理サーバー１へ送信する送信部２ａｂと、管理サーバー１の情報生成部１ｄによりＷｅｂページとして作成された、後述する評価レポート画面３０Ａ、３０ＢをＷｅｂブラウザにより取得する取得部２ａｃと、この取得部２ａｃにより受信された評価レポート画面３０Ａ、３０Ｂを表示する表示部２ａｄと、を含み構成されている。
【００２５】
尚、入力部２ａａは、通信Ｉ／Ｆにより構成される。また、送信部２ａｂは、本発明の「測定値送信手段」に対応するものであって、ネットワークＩ／Ｆにより構成される。また、取得部２ａｃは、本発明の「取得手段」に対応するものであって、ＣＰＵ等の演算手段とメモリ等の記憶手段により構成され、上述のように、ＷｅｂブラウザによりＷｅｂページとして作成された評価レポート画面３０Ａ、３０Ｂを取得する。また、表示部２ａｄは、本発明の「表示手段」に対応するものであって、モニタ等の表示手段により構成される。
【００２６】
［色管理方法］
ここで、当該色管理システムにおいて行われる色管理方法について、図４及び図５に示すフローチャートの流れに沿って説明する。但し、以下においては、測色計Ｓ１の測定値の補正を行い、出力装置Ｃ１から出力された出力物の色彩や濃度に関する測定値の経時的な変化を示す情報をＷｅｂページとして作成する場合を例に挙げて説明を行う。
【００２７】
管理サーバー１ａを管理する管理者は、まず事前準備として、上述した測色計補正用カラーチャートＰの色彩や濃度を、所定の測定点の位置及び測定順に従って、基準となる測色計Ｓ０により測定する作業を行う。
【００２８】
〔測定値格納ステップ〕
管理者は、次に、この基準となる測色計Ｓ０により測定された測色計補正用カラーチャートＰの色彩や濃度の測定値を、管理サーバー１において、キーボードやマウス等の入力手段、又は、測定値の格納されたファイルの登録により入力する。但し、この際には、測色計補正用カラーチャートＰに対する測定点の位置や、その測定順に関する情報も入力される。これにより、測色計補正用カラーチャートＰの色彩や濃度の測定値は、その測定点の位置や測定順に関する情報と共に、格納部１ａの後述する基準測定器測定データｔａｂｌｅに基準器測定データとして格納される。
【００２９】
一方、当該色管理システムを利用するユーザは、まず端末装置２ａにおいて、測色計Ｓ１による測定値を登録するための作業を行う。具体的には、ユーザは、端末装置２ａから管理サーバー１にアクセスすることで、例えばＷｅｂページに表示される入力画面にて、所定の事項、具体的には、測色計Ｓ１の測定対象物となる測色計補正用カラーチャートＰの郵送先に関する情報（送り先であるユーザの住所、氏名、電話番号等）等を入力する。
【００３０】
一方、管理者は、管理サーバー１において、上述したＷｅｂページである入力画面を参照することで、それらの所定の事項を確認して、指定された郵送先に測色計補正用カラーチャートＰを郵送する作業を行う。
【００３１】
ユーザは、次に、測色計補正用カラーチャートＰが郵送されると、端末装置２ａの入力部２ａａに測色計Ｓ１を通信ケーブル等の通信手段により接続した上で、端末装置２ａから管理サーバー１にアクセスして、Ｗｅｂページに表示されるツール画面にて、測定ツールをダウンロードする作業を行う。尚、この測定ツールとは、基準となる測色計Ｓ０により測色計補正用カラーチャートＰの色彩や濃度の測定を行った際の当該測色計補正用カラーチャートＰの測定点や測定順に関する情報やその測定値の送信先が規定された情報等を含むものであって、当該測定ツールは、端末装置２ａを介して測色計Ｓ１にダウンロードされて、測色計Ｓ１においては、基準となる測色計Ｓ０により測色計補正用カラーチャートＰの色彩や濃度の測定が行われた際と同様の測定点を同様の測定順にて測定する。尚、この測定ツールは、ＣＤ−ＲＯＭ等の記憶媒体に記憶されて、端末装置２ａを介して測色計Ｓ１にダウンロードされることにしても良い。
【００３２】
〔測定値送信ステップ〕
図４（Ａ）に示すように、このようにして、ユーザが測色計Ｓ１により測色計補正用カラーチャートＰの色彩や濃度を測定すると（Ｓ０１）、測色計Ｓ１の測定値は、入力部２ａａを介して端末装置２ａに送信される（Ｓ０２）。この際、測色計補正用カラーチャートＰの各測定点の測定値は、端末装置２ａ〜２ｃの表示手段に表示される測定画面、具体的には、図３に示すような測色計補正用カラーチャート測定画面１０Ａの測定値表示欄１０Ａａにおいて、例えばＣＩＥ  Ｌ＊ａ＊ｂ＊表色系におけるＬ＊値、ａ＊値、ｂ＊値にて表示される。
【００３３】
ユーザは、次に、この測色計補正用カラーチャート測定画面１０Ａにおいて、入力手段の操作により送信ボタンを選択することで、それらの情報を端末装置２ａの送信部２ａｂより管理サーバー１へ送信する（Ｓ０３）。
【００３４】
〔測定値受信ステップ〕
図４（Ｂ）に示すように、一方、管理サーバー１においては、受信部１ｂが、端末装置２ａの送信部２ａｂから送信された測色計Ｓ１による測色計補正用カラーチャートＰの測定値を受信して、格納部１ａのユーザ測定器測定データｔａｂｌｅに格納する（Ｓ０４）。さらに、格納部１ａは、ユーザ測定器情報ｔａｂｌｅに、基準となる測色計Ｓ０と測色計Ｓ１〜Ｓ３の製品差や機種差による測定値の差を補正する補正情報を格納しており、ユーザ測定器測定データｔａｂｌｅに格納された測色計Ｓ１による測色計補正用カラーチャートＰの測定値を、このユーザ測定器情報ｔａｂｌｅに格納された補正情報によって補正することで（Ｓ０５）、これを基準となる測色計Ｓ０との製品差や機種差による測定値の差が補正されたユーザ測定器補正後測定データとして格納する（Ｓ０６）。
【００３５】
〔測定値送信ステップ〕
これ以降、ユーザは、定期的に上述した出力装置Ｃ１から出力された出力物の測色計Ｓ１による測定を行うこととなる。上述したように、ユーザが測色計Ｓ１により出力装置Ｃ１から出力された出力物の色彩や濃度を測定すると、測色計Ｓ１の測定値は、入力部２ａａを介して端末装置２ａに送信されて、出力物の各測定点の測定値は、端末装置２ａ〜２ｃの表示手段に表示される測定画面、具体的には、図３に示すような測色計補正用カラーチャート測定画面１０Ａの測定値表示欄１０Ａａにおいて、例えばＣＩＥ  Ｌ＊ａ＊ｂ＊表色系におけるＬ＊値、ａ＊値、ｂ＊値にて表示される。
【００３６】
ユーザは、ここで、この測色計補正用カラーチャート測定画面１０Ａのコメント欄１０Ａｂにおいて、例えば、“２００３、０５、１６”等、それらの測定値を測定した日時を入力手段の操作により入力して、入力手段の操作により送信ボタンを選択することで、それらの情報を、その都度、端末装置２ａの送信部２ａｂより管理サーバー１へ送信する。
【００３７】
〔測定値受信ステップ〕
一方、管理サーバー１においては、受信部１ｂが、端末装置２ａの送信部２ａｂから送信された測色計Ｓ１による出力装置Ｃ１から出力された出力物の測定値を受信して、その都度、格納部１ａのユーザ測定器測定データｔａｂｌｅに格納する。
【００３８】
図５に示すように、このようにして、ユーザが、定期的に上述した出力装置Ｃ１から出力された出力物の測色計Ｓ１による測定を行い、その測定値及び測定日時を管理サーバー１へ送信した上で、さらに、評価レポート画面３０Ａ、３０Ｂを閲覧するべく、端末装置２ａの入力手段の操作を行うと、取得部２ａｃが管理サーバー１にＷｅｂブラウザによりアクセスして、端末装置２ａの表示部２ａｄには、Ｗｅｂページであるログイン画面が表示される。さらに、ユーザがこのログイン画面において、端末装置２ａの入力手段によりログイン操作を行うと、管理サーバー１の登録部１ｅにおいては、当該管理サーバー１にアクセスした端末装置２ａのユーザに関するデータベース認証を行う（Ｓ０７）。即ち、登録部１ｅにおいては、端末装置２ａ〜２ｃを使用するユーザに関する識別情報がユーザ情報ｔａｂｌｅとして格納されており、当該ユーザ情報ｔａｂｌｅを参照することで（Ｓ０８）、ユーザ認証を行う（Ｓ０９）。ここで、ユーザが認証された場合には（Ｓ０９、ＯＫ）、登録部１ｅは、セッション情報ｔａｂｌｅに格納された設定情報を参照して（Ｓ１０）、当該設定情報に従って、認証されたユーザ、即ち、端末装置２ａの取得部２ａｃに対してセッションを開始する（Ｓ１１）。
【００３９】
すると、管理サーバー１の算出部１ｃは、格納部１ａの基準測定器測定データｔａｂｌｅに格納された基準器測定データと、ユーザ測定器補正後測定データとを参照することで（Ｓ１２）、それらの測定値の差、具体的には、それらの濃度差であるΔＤ値、それらのＣＩＥ  Ｌ＊ａ＊ｂ＊表色系におけるＬ＊値、ａ＊値、ｂ＊値の差であるΔＬ＊値、Δａ＊値、Δｂ＊値、さらには、それらの色差であるΔＥ＝{（ΔＬ＊）２＋（Δａ＊）２＋（Δｂ＊）２}１／２値を各測定点毎に算出して、さらに、全ての測定点を対象として、その平均ΔＥ値を算出し、それらの最大ΔＥ値を抽出する（Ｓ１３）。
【００４０】
〔補正式導出ステップ〕
一方、補正式導出部１ｆは、格納部１ｂに格納された基準器測定データとユーザ測定器補正後測定データを参照することで、補正後の測色計Ｓ１による測色計補正用カラーチャートＰの測定値と、基準となる測色計Ｓ０による測色計補正用カラーチャートＰの測定値とに基づいて、補正後の測色計Ｓ１による測色計補正用カラーチャートＰの測定値を基準となる測色計Ｓ０による測色計補正用カラーチャートＰの測定値に近似させる補正を行う補正式を複数導出する。尚、補正式導出部１ｆは、この際、例えばＣＩＥ（Ｃｏｍｍｉｓｓｉｏｎ  Ｉｎｔｅｒｎａｔｉｏｎａｌｅ  ｄｅ  ｌ‘Ｅｃｌａｉｒａｇｅ：国際照明委員会）  Ｌ＊ａ＊ｂ＊表色系にて表現された測定値をＸＹＺ（三刺激値）表色系にて表現される測定値へ変換した上で、上述した複数の補正式を導出するものとする。これは、ＸＹＺ（三刺激値）表色系においては、測定値を常に正の値で表現することができ、測定値の補正を行うことが容易になるからである。但し、測色計Ｓ１〜Ｓ３の構成によっては、測定値がＸＹＺ（三刺激値）表色系にて算出されることがあり、このような場合には、上述した変換を行う必要はなくなる。
【００４１】
（変換手法の詳細）
ここで、上述したＣＩＥ（Ｃｏｍｍｉｓｓｉｏｎ  Ｉｎｔｅｒｎａｔｉｏｎａｌｅ  ｄｅ  ｌ‘Ｅｃｌａｉｒａｇｅ：国際照明委員会）  Ｌ＊ａ＊ｂ＊表色系からＸＹＺ（三刺激値）表色系へ測定値を変換する手法の詳細について、具体的に説明する。
【００４２】
Ｌ＊ａ＊ｂ＊表色系からＸＹＺ（三刺激値）表色系への変換式
例えば、Ｄ５０光源（印刷業界の標準色温度（５０００Ｋ））とした場合、（Ｌ、ａ、ｂ）と（Ｘ、Ｙ、Ｚ）との間には、
ｙ＝（Ｌ＋１６．０）／１１６．０
ｘ＝ａ／５００．０＋ｙ
ｚ＝ｙ−ｂ／２００．０
という関係式が成り立つ。
ここで、ｘｓ０、ｙｓ０、ｚｓ０＞０．００８８５６となる場合には、
ｘｓ０＝ｘ３
ｙｓ０＝ｙ３
ｚｓ０＝ｚ３とし、
また、ｘｓ０、ｙｓ０、ｚｓ０≦０．００８８５６となる場合には、
ｘｓ０＝〔ｘ−（１６．０／１１６．０）〕／７．７８７
ｙｓ０＝{ｙ−（１６．０／１１６．０）}／７．７８７
ｚｓ０＝〔ｚ−（１６．０／１１６．０）〕／７．７８７
として、
Ｘ＝ｘｓ０×０．９８０７２
Ｙ＝ｙｓ０×１．０００００
Ｚ＝ｚｓ０×１．１８２２５
に代入すると、Ｘ、Ｙ、Ｚの各要素が適正にＬ、ａ、ｂの値にて表現される。
【００４３】
（演算手法の具体例）
次に、上述した補正式導出部１ｆにより用いられる演算手法の具体例について説明する。
【００４４】
補正式導出部１ｆは、例えば、本出願人が先に出願した特願２００３−１５４９２７号（段落〔００３９〕〜〔００６０〕、第４図乃至第６図）に記載する演算方法や、特開平１１−１３２８４９号公報（段落〔００１５〕‐〔００５０〕、第１図乃至第５図）に開示される演算手法を含む、以下に記載する演算手法の何れかにより補正式を導出する。
【００４５】
例）回帰分析にて、２次関数の係数（α、β、γ）を求める手法
まず、Ｘ、Ｙ、Ｚの要素毎に測色計Ｓ２による測色計補正用カラーチャートＰの色彩や濃度に関する測定値と測色計Ｓ１による測色計補正用カラーチャートＰの色彩や濃度に関する測定値との誤差を求め、測色計Ｓ１による測定値を横軸、測色計Ｓ２による測定値との誤差を縦軸として、各測定点毎にプロットしてグラフを作成し、各要素毎の測定値誤差の近似曲線を算出する。この近似曲線は、測色計Ｓ１による測定値をＸｕ、Ｙｕ、Ｚｕ、測色計Ｓ２による測定値をＸｓ、Ｙｓ、Ｚｓ、測色計Ｓ２による測定値との誤差をＤｘ（Ｘｕ）、Ｄｙ（Ｘｕ）、Ｄｚ（Ｚｕ）とすると、以下のように表すことができる。
【００４６】
その１：近似曲線が原点を通るとしたもの
Ｄｘ（Ｘｕ）＝Ｘｓ−Ｘｕ＝α（Ｘｕ＋β）２
Ｄｙ（Ｙｕ）＝Ｙｓ−Ｙｕ＝α（Ｘｕ＋β）２
Ｄｚ（Ｚｕ）＝Ｚｓ−Ｚｕ＝α（Ｘｕ＋β）２
ここで、α、βは、同一のサンプル測定における係数である。
【００４７】
その２：近似直線が必ずしも原点を通らないとしたもの
Ｄｘ（Ｘｕ）＝Ｘｓ−Ｘｕ＝αＸｕ２＋βＸｕ＋γ
Ｄｙ（Ｙｕ）＝Ｙｓ−Ｙｕ＝αＹｕ２＋βＹｕ＋γ
Ｄｚ（Ｚｕ）＝Ｚｓ−Ｚｕ＝αＺｕ２＋βＺｕ＋γ
ここで、α、β、γは、同一のサンプル測定における係数である。
【００４８】
上記何れかの近似曲線について、Ｘ、Ｙ、Ｚの各要素毎に最小二乗法でα、β、γの値を求め、Ｘｕ＝、Ｙｕ＝、Ｚｕ＝に続く、Ｘｓ、Ｙｓ、Ｚｓの関数となる補正式を導出する。
【００４９】
〔情報生成ステップ〕
これを受けて、情報生成部１ｄは、補正式導出部１ｆにより導出された補正式を用いて、格納部１ａのユーザ測定器測定データｔａｂｌｅに格納された測色計Ｓ１による出力装置Ｃ１から出力された出力物の測定値を補正して、その補正された測色計Ｓ１による出力装置Ｃ１から出力された出力物の測定値と、当該補正された出力物の測定値を測定した測定日時とに基づいて、当該補正された出力物の測定値の経時的な変化を、Ｗｅｂページである、例えば図６に示すような診断画面２０Ａにおいて表示した情報を生成する（Ｓ１４）。但し、図６に示す診断画面２０Ａにおいては、特定の測定日に関する情報のみを表示する構成となっており、情報生成部１ｄは、この他にも、各測定日毎にこのような情報を生成する。尚、この診断画面２０Ａを生成する手法として、情報生成部１ｄは、当該診断画面２０Ａのテンプレートの各表示欄に対して、例えば、基準となる測定日における測定器Ｓ１による出力装置Ｃ１から出力された出力物の測定値（但し、補正後のもの）と、特定の測定日における測定器Ｓ１による出力装置Ｃ１から出力された出力物の測定値（但し、補正後のもの）及びその測定日時の情報等を入力する。ここで、各表示欄においては、当該表示欄において表示される値を算出するための演算プログラム、当該表示欄において表示される判定結果を導出するための判定プログラム、当該表示欄において表示される値を抽出するための抽出プログラム等が対応付けられており、情報生成部１ｄ（算出部１ｃであっても良い）は、例えば上述した基準となる測定日における測定器Ｓ１による出力装置Ｃ１から出力された出力物の測定値（但し、補正後の測定値）とその他の測定日における測定器Ｓ１による出力装置Ｃ１から出力された出力物の測定値（但し、補正後の測定値）との差を表示する表示欄に関しては、上述した表示欄において、それらの測定値が入力されたことを受けて、当該表示欄に対応付けられた演算プログラムによりそれらの差を算出して、これを表示する。因みに、図６に示す診断画面２０Ａにおいては、測定日欄２０Ａａにおいて“２００３、０５、１６”と測定日時を入力し、基準測定値欄２０Ａｂにおいて、基準となる測定日における測定器Ｓ１による出力装置Ｃ１から出力された出力物の測定値を、各測定点毎に入力し、測定値欄２０Ａｃにおいて、“２００３、０５、１６”における測定器Ｓ１による出力装置Ｃ１から出力された出力物の測定値を、各測定点毎に入力し、色差欄２０Ａｄにおいて、それらの色差であるΔＥ値を、各測定点毎に算出して表示している。さらに、平均ΔＥ欄２０Ａｅにおいて、各測定点におけるΔＥ値の平均値を算出して表示し、最大ΔＥ欄２０Ａｆにおいて、各測定点におけるΔＥ値の最大値を抽出して表示している。因みに、情報生成部１ｄは、後述する評価レポート画面（測定結果一覧表示形態）３０Ａや、評価レポート画面（測定結果グラフ表示形態）３０Ｂを作成する際にも、このような情報生成方法により当該情報を生成する。
【００５０】
〔取得ステップ、表示ステップ〕
一方、端末装置２ａにおいては、取得部２ａｃがＷｅｂブラウザにより当該診断画面２０Ａを取得して、表示部２ａｄがこれを表示する。
【００５１】
〔情報生成ステップ〕
さらに、ユーザが、端末装置２ａの入力手段の操作により、当該診断画面２０Ａの評価レポート項目２０Ａｉを選択すると、情報生成部１ｄは、上述したように、補正式導出部１ｆにより導出された補正式を用いて、これまでに格納部１ａのユーザ測定器測定データｔａｂｌｅに格納された全ての測色計Ｓ１による出力装置Ｃ１から出力された出力物の測定値を補正して、それらの補正された測色計Ｓ１による出力装置Ｃ１から出力された出力物の測定値と、当該補正された出力物の測定値を測定した測定日時とに基づいて、補正された測色計Ｓ１による出力装置Ｃ１から出力された出力物の測定値の経時的な変化をＷｅｂページである、例えば図７（Ａ）に示すような評価レポート画面（測定結果一覧表示形態）３０Ａや、図７（Ｂ）に示すような評価レポート画面（測定結果グラフ表示形態）３０Ｂにおいて一覧表示、又は、グラフ表示した情報を生成する（Ｓ１４）。
【００５２】
〔取得ステップ、表示ステップ〕
一方、端末装置２ａにおいては、取得部２ａｃがＷｅｂブラウザにより当該評価レポート画面（測定結果一覧表示形態）３０Ａや、当該評価レポート画面（測定結果グラフ表示形態）３０Ｂを取得して、表示部２ａｄがこれを表示する。
【００５３】
因みに、図７（Ａ）に示す評価レポート画面（測定結果一覧表示形態）３０Ａにおいては、測定日欄３０Ａａにおいて、これまでの測定日である“２００３、０４、１０”、“２００３、０５、１５”が表示され、時刻欄３０Ａｂにおいて、各々の測定時刻である“１５：１３：２１”、“１４：２１：３１”が表示され、また、平均ΔＥ欄３０Ａｃ、最大ΔＥ欄３０Ａｄにおいて、各々の測定日における最大ΔＥ値と平均ΔＥ値である“０．４”、“０．５”と“０．９”、“１”が表示されている。また、図７（Ｂ）に示す評価レポート画面（測定結果グラフ表示形態）３０Ｂにおいては、色差を縦軸にとり、測定日時を横軸にとったグラフ欄３０Ｂａにおいて、各々の測定日における最大ΔＥ値と平均ΔＥ値がプロットされて、それらの経時的な変化が折れ線にて表現されたグラフが表示されている（因みに、図７（Ｂ）において、基準となる測定日は、３／２１となっている）。
【００５４】
尚、これら図７（Ａ）に示す評価レポート画面（測定結果一覧表示形態）３０Ａと、図７（Ｂ）に示す評価レポート画面（測定結果グラフ表示形態）３０Ｂの表示切り替えは、例えば、図７（Ａ）に示す評価レポート画面（測定結果一覧表示形態）３０Ａにおいては、ユーザが端末装置２ａの入力手段の操作により、グラフ表示項目３０Ａｈを選択することで、また、図７（Ｂ）に示す評価レポート画面（測定結果グラフ表示形態）３０Ｂにおいては、ユーザが端末装置２ａの入力手段の操作により、一覧表示項目３０Ｂｂを選択することで、情報生成部１ｄがこれを行う。
【００５５】
〔表示指定ステップ〕
ユーザが、さらに、端末装置２ａの入力手段の操作により、図７（Ｂ）に示す評価レポート画面（測定結果グラフ表示形態）３０Ｂのグラフ欄３０Ｂａの縦軸に関して、その表現形式を切り替えるべく、その表現形式に対応する所定の項目を指定すると、情報生成部１ｄは、これを受けて、図７（Ｂ）に示す評価レポート画面（測定結果グラフ表示形態）３０Ｂのグラフ欄３０Ｂａの縦軸を、その表現形式に切り替える処理を行う。この際、情報生成部１ｄは、予め、縦軸を基準となる測定日（例えば、出力装置Ｃ１において出力濃度値や出力色彩値の調整が行われた日）との、濃度差であるΔＤ値、ＣＩＥ  Ｌ＊ａ＊ｂ＊表色系におけるＬ＊値、ａ＊値、ｂ＊値の差であるΔＬ＊値、Δａ＊値、Δｂ＊値、さらには、色差であるΔＥ＝{（ΔＬ＊）２＋（Δａ＊）２＋（Δｂ＊）２}１／２値等の表現形式にしたグラフを生成しておき、それらの表示を切り替えることにしても良いし、また、その都度、その表現形式に対応したグラフを生成して、それらの表示を切り替えることにしても良い。ここで、ユーザは、例えばプロセスカラー（Ｙ、Ｍ、Ｃ、Ｋ）の濃度管理を行うことを目的とする場合には、図８（Ａ）に示すように、縦軸の表現形式を、濃度差であるΔＤに切り替える操作を行う。これにより、図７（Ｂ）に示す評価レポート画面（測定結果グラフ表示形態）３０Ｂのグラフ欄３０Ｂａにおいては、縦軸を濃度差ΔＤとし、横軸を測定日とした当該グラフが表示される。また、ユーザは、プロセスカラー（Ｙ、Ｍ、Ｃ、Ｋ）の色差の管理を行うことを目的とする場合には、図８（Ｂ）に示すように、縦軸の表現形式を、色差であるΔＥ値に切り替える操作を行う。これにより、図７（Ｂ）に示す評価レポート画面（測定結果グラフ表示形態）３０Ｂのグラフ欄３０Ｂａにおいては、縦軸を色差ΔＥとし、横軸を測定日とした当該グラフが表示される。尚、入力手段は、本発明の「表示指定手段」に対応する。
【００５６】
尚、図７（Ｂ）に示す評価レポート画面（測定結果グラフ表示形態）３０Ｂのグラフ欄３０Ｂａの縦軸に関して、その表現形式を切り替える他例としては、この他にも、例えば基準となる測定日とのＣＩＥ  Ｌ＊ａ＊ｂ＊表色系におけるＬ＊値、ａ＊値、ｂ＊値の差であるΔＬ＊値、Δａ＊値、Δｂ＊値等であっても良い。また、これら複数の表現形式にて、複数のグラフを同時に表示することにしても良い。
【００５７】
〔許容幅／許容値指定ステップ〕
図６に戻って、ユーザが、さらに、図７（Ｂ）に示す評価レポート画面（測定結果グラフ表示形態）３０Ｂのグラフ欄３０Ｂａに表示されるグラフにおいて、出力装置Ｃ１の出力濃度値や出力色彩値の調整が必要とされているのか否かを容易に判断することができるように、端末装置２ａの入力手段の操作により、上述した診断画面２０Ａの許容色差欄２０Ａｈにおいて、例えば許容色差（出力装置Ｃ１において出力濃度値や出力色彩値の調整が必要とされる閾値）を指定すると、情報生成部１ｄは、これを受けて、例えば図７（Ｂ）に示す評価レポート画面（測定結果グラフ表示形態）３０Ｂのグラフ欄３０Ｂａに表示されるグラフにおいて、最大ΔＥ値や平均ΔＥ値の許容値を線等により追加表示する処理を行う。同様に、ユーザが上述した診断画面２０Ａの許容色差欄２０Ａｈにおいて、例えば許容色差を指定すると、情報生成部１ｄは、これを受けて、図８（Ｂ）に示すグラフにおいて、ΔＥ値の許容値を線等により追加表示する。また、同様に、ユーザが上述した診断画面２０Ａの許容濃度幅欄（許容色差欄２０Ａｈと兼用する）において、例えば許容濃度幅を指定すると、情報生成部１ｄは、例えば図８（Ａ）に示すグラフにおいて、ΔＤ値の許容幅を線等により追加表示する。これにより、ユーザは、出力装置Ｃ１において出力濃度値や出力色彩値の調整が必要とされているのか否かを容易に判断することができる。尚、入力手段は、本発明の「許容幅／許容値設定手段」に対応する。
【００５８】
以上に説明したように、本実施形態における色管理システム及びその色管理方法によれば、管理サーバー１の補正式導出部１ｆにより、各拠点に配置された測色計Ｓ１〜Ｓ３の測定値と基準値とに基づいて、各拠点に配置された測色計Ｓ１〜Ｓ３の測定値を基準値に近似させる補正を行う補正式が導出されて、情報生成部１ｄにより、その導出された補正式を用いて補正された各拠点に設置された出力装置Ｃ１〜Ｃ３から出力された出力物の測定値の経時的な変化を示す情報がＷｅｂページとして生成されるので、ユーザは、各拠点に配置された端末装置２ａ〜２ｃから、各自、このＷｅｂページを閲覧することで、管理サーバーの設置場所に赴くことなく、その内容を確認することができる。従って、自身の拠点に設置された出力装置Ｃ１〜Ｃ３から出力された出力物の測定値の経時的な管理を効率良く行うことができる。さらに、その表示内容に従って自身の拠点に設置された出力装置Ｃ１〜Ｃ３の出力色彩値や出力濃度値の調整を行うことで、その色管理を適正に行うことができる。
【００５９】
尚、本発明に係る色管理システム及びその色管理方法は、以上に説明した実施形態に限定されるものではなく、その要旨を逸脱することのない範囲内で、種々の変形が可能である。
【００６０】
例えば、上述した実施形態においては、基準となる測色計Ｓ０及び測色計Ｓ１〜Ｓ３は、その測定値をＣＩＥ  Ｌ＊ａ＊ｂ＊表示系にて算出するものとしたが、この他にも、例えばＸＹＺ表示系や、ＣＩＥ  Ｌ＊ｕ＊ｖ＊表示系等にて算出することとしても良い。
【００６１】
また、測色計補正用カラーチャートＰは、ＤＣＣＰにより出力されることが好ましい旨を記載したが、この他にも、例えばプリンタや複写機等の出力装置により出力することとしても良い。
【００６２】
また、測色計補正用カラーチャートＰは、同一の色彩及び濃度に管理された複数を各拠点に配置された測色計Ｓ１〜Ｓ３に対して、配布することとしたが、この他にも、１つのものを測色計Ｓ１〜Ｓ３に巡回させる。或いは、１つのものを測色計Ｓ１〜Ｓ３に対して、順次、配布することとしても良い。
【００６３】
また、測色計補正用カラーチャートＰは、Ｃ、Ｍ、Ｙ、Ｋの少なくとも１色を含み、２色以上を含む場合には、少なくとも１色の階調を段階的に変化させて、残りは一定とした複数色からなるカラーチャートであれば良い。
【図面の簡単な説明】
【００６４】
【図１】本発明に係る色管理システムのシステム構成を示す説明図である。
【図２】測色計補正用カラーチャートの構成を示す説明図である。
【図３】図１に示す色管理システムの端末装置において、その表示手段に表示される補正用カラーチャート測定画面の構成を表す構成図である。
【図４】（Ａ）は、図１に示す色管理システムの測色計及び端末装置において行われる色管理方法の一連の流れを説明するためのフローチャートである。  （Ｂ）は、図１に示す色管理システムの管理サーバーにおいて行われる色管理方法の一連の流れを説明するためのフローチャートである。
【図５】図１に示す色管理システムの管理サーバーにおいて行われる色管理方法の一連の流れを説明するためのフローチャートである。
【図６】図１に示す色管理システムの算出部において算出された算出結果等を表示する診断画面の構成を表す構成図である。
【図７】（Ａ）は、図１に示す色管理システムの情報生成部により生成される評価レポート画面の一表示形態を表す構成図である。  （Ｂ）は、図１に示す色管理システムの情報生成部により生成される評価レポート画面の他の表示形態を表す構成図である。
【図８】（Ａ）は、図７（Ｂ）に示す評価レポート画面のグラフ欄において表示されるグラフの一表示形態を表す構成図である。  （Ｂ）は、図７（Ｂ）に示す評価レポート画面のグラフ欄において表示されるグラフの他の表示形態を表す構成図である。
【符号の説明】
【００６５】
１  管理サーバー
１ａ  格納部
１ｂ  受信部
１ｃ  算出部
１ｄ  情報生成部
１ｅ  登録部
１ｆ  補正式導出部
２ａ〜２ｃ  端末装置
２ａａ  入力部
２ａｂ  送信部
２ａｃ  取得部
２ａｄ  表示部
Ｃ１〜Ｃ３  出力装置
Ｎ  ネットワーク（インターネット）
Ｐ  測色計補正用カラーチャート
Ｓ０  基準となる測色計
Ｓ１〜Ｓ３  測色計
【図１】
2005091327.tif 000003
【図２】
2005091327.tif 000004
【図３】
2005091327.tif 000005
【図４】
2005091327.tif 000006
【図５】
2005091327.tif 000007
【図６】
2005091327.tif 000008
【図７】
2005091327.tif 000009
【図８】
2005091327.tif 000010